(57)【特許請求の範囲】
【請求項１】
洗浄する天井エアコンの下方を洗液を受ける防水カバーで覆い、該防水カバー内に位置する蒸気、温水及び乾燥用エアーをエアコンに噴出するエアコン洗浄ノズルから、蒸気発生器で生成した蒸気を７０〜９０℃の温度としたスチームを噴出させ、それから４０〜７０℃に設定した温水を噴出させるエアコン洗浄方法であって、回動し得るように立設し且つ上端が閉鎖したパイプの縦方向に前記洗浄ノズルを複数形成し、前記パイプを回動させる手段と前記蒸気発生器とを容器に収容してヘッド部を形成し、該ヘッド部を前記防水カバー内に位置させてなることを特徴とするエアコン洗浄方法。
【請求項２】
前記防水カバー下端の開口に、排水ホースを接続し、該排水ホースからの排水は排水フイルターを通って排水タンクに収容される請求項１に記載の洗浄方法。
【請求項３】
前記蒸気発生器が、汲み上げた湯又は水をヒータで加熱して蒸気化するチャンバーと、該チャンバー内で蒸気化したスチームをノズルに送る蒸気供給管と、チャンバー入口近くのパイプに設けた逆止弁と、チャンバー出口の蒸気供給管に設けた圧力制御弁とを具備してなる請求項１又は２に記載の洗浄方法。
【請求項４】
前記チャンバーに連結したホースから、該チャンバー内に温水を導入し、前記ホースのエアー若しくは温水通路は、エアー／温水切り替え装置を介して、エアーコンプレッサー又は温水タンクに連通し得るように構成されている請求項３に記載の洗浄方法。
【請求項５】
前記蒸気供給管に接続したセンサーで温度を測定し、その測定結果に基づいて前記チャンバーを加熱するヒータを制御し、前記ノズルから噴出させる蒸気と温水の温度調節をする請求項４に記載の洗浄方法。
【請求項６】
前記エアコンが横長のエアコンであり、前記ヘッド部を該エアコンの長さ方向にスライドして移動し得るように構成してなる請求項１〜５のいずれか１項に記載の洗浄方法。
【発明の詳細な説明】
【０００１】
【発明が属する技術分野】
この発明は、天井に設置したエアコンを清掃するエアコン洗浄方法に係り、詳記すれば、洗剤及び洗浄水の使用量を著しく減少させ、且つ作業時間を短縮させることが出来るエアコン洗浄方法に関する。
【０００２】
【従来の技術】
従来から、天井埋め込み型のエアコンのコイルフインに付着した塵埃、油煙等の汚れを自動的に洗浄・除去することにより、熱効率の低下を回復し、室内空気の汚染源となるのを防止するため、エアコンを洗浄することが行われている。
【０００３】
従来、天井に設置したエアコンを清掃するには、水だけでは油汚れ等が落ちにくいため一般的には洗浄剤が使用されていた。また、洗浄剤と高圧の水とを吹き付けることによって、汚れを剥離させて洗い流す自動洗浄機を使用する洗浄方法も行われていた。
【０００４】
【発明が解決しようとする課題】
しかしながら、洗浄剤を使用する方法は、公害・環境汚染の危険性を常に内包しているほか、洗浄剤の処理に中和剤や大量のすすぎ水を必要とし、その結果経費が増大したり、大量の排水が出る等の欠点があった。
【０００５】
また、自動洗浄機を使用する方法は、高い圧力を必要とするので、必然的に微小面積を少しずつ洗い流してゆく形式となることから、作業に長時間を要する欠点があった。
【０００６】
更に、上記従来法は、大量の給排水を要するため、精密工場、研究所、事務所などでは、洗浄作業に伴う二次汚染の恐れや、装置の大型化、ホースの引き回し等の問題点が多く、そのため簡単には適用できない問題があった。
【０００７】
この発明は、このような点に着目してなされたものであり、洗浄剤を不要とし、しかも短時間で容易に洗浄することが出来るエアコン洗浄方法を提供することを目的とする。
【０００８】
【課題を解決するための手段】
上記目的に沿う本発明の構成は、洗浄する天井エアコンの下方を洗液を受ける防水カバーで覆い、該防水カバー内に位置する蒸気、温水及び乾燥用エアーをエアコンに噴出するエアコン洗浄ノズルから、蒸気発生器で生成した蒸気を７０〜９０℃の温度としたスチームを噴出させ、それから４０〜７０℃に設定した温水を噴出させるエアコン洗浄方法であって、回動し得るように立設し且つ上端が閉鎖したパイプの縦方向に前記洗浄ノズルを複数形成し、前記パイプを回動させる手段と前記蒸気発生器とを容器に収容してヘッド部を形成し、該ヘッド部を前記防水カバー内に位置させてなることを特徴とする。
【０００９】
要するに本発明は、スチームで汚れを浮かせてから、温水を噴射して洗浄することによって、洗浄剤の使用量を不要とし、洗浄後エアーを吹き付けて乾燥することにより、最終仕上がりまでの時間を著しく短縮したことを要旨とするものである。
【００１０】
【発明の実施の形態】
次に、本発明の実施の形態を図面に基づいて説明する。
【００１１】
図１は、本発明の実施例を示すものであり、天井に設置したエアコン（被洗浄体）１に、防水カバー２の上端開口部が嵌合し、防水カバー２下端に接続した排水ホース３は、台車４上の排水フイルター５を介して、排水タンク６に接続されている。
【００１２】
エアコンを洗浄した洗液は、防水カバー２で受けられて、排水ホース３を通って排水フイルター５で濾過され、排水タンク６に収容されるようになっている。尚、図中２４は、排水タンクのドレインコックである。
【００１３】
防水カバー２内には、洗浄装置のヘッド部７がエアコン１に針金３９で連結固定されている。防水カバー２は、洗浄部全体を覆って、洗浄液や塵埃・細菌等が外部に漏れないようになっている。
【００１４】
図２に示すように、ヘッド部７内には、蒸気発生器８と、同蒸気発生器８に接続した蒸気供給管９と、同蒸気供給管９にロータリージョイント１０を介して垂直方向に接続されるノズル回転軸１１とが収容され、同ノズル回転軸１１とノズル１２を装着した上端が閉鎖したパイプ１３とを、カプラー１４によって着脱自在に連結している。
【００１５】
ノズル１２は、パイプ１３の縦方向に３個間隔づけて装着されている。このように多孔ノズルとすることによって、コイルフインの上から下までを一度にカバーできるので、動きは回転だけで済むから、機構が簡略化できる。
【００１６】
回転軸１１には、歯車１５が固定され、同歯車１５はモータ１６によって回転する歯車１７と歯合して、正逆両方向に回転し得るようになっている。
【００１７】
蒸気発生器８下端には、エアー／温水供給ホース１９が接続され、同ホース１９は、台車４に載置されたエアーコンプレッサー１８上のエアー／温水切り替え装置２０に接続されている。尚、図１において、符号４５は、電源コードであり、符号４６は操作パネルである。
【００１８】
エアー／温水切り替え装置２０には、給水管２１及び給水ポンプ２２を介して、温水タンク２３に接続されている。図中、２５は温水タンクドレインであり、２６は温水用ヒータである。水は、吸水口２７から温水タンク２３に投入されるようになっている。
【００１９】
従って、エアー／温水切り替え装置２０を作動させることによって、エアー／温水供給ホース１９にエアーコンプレッサー１８からエアーを送るか又は温水タンク２３から温水を送るか選択できる。エアー／温水切り替え装置２０は、電磁弁によって、エアーか温水かに切り替えるようにすると良い。
【００２０】
図３は、蒸気発生器８の実施例を示すものであり、湯又は水を収容したタンク２３′と、該タンク２３′内の湯又は水をパイプ２８を介して汲み上げるポンプ２９と、汲み上げた湯又は水をヒータ３０で加熱して蒸気化するチャンバー３１と、同チャンバー３１内で蒸気化したスチームをノズル１２に送る蒸気供給管９とを具備している。尚、パイプ２８下端には、ごみ等を除去するフイルター３２が取着されている。
【００２１】
チャンバー３１入口近くのパイプ２８′には、逆止弁３３が、チャンバー３１出口の蒸気供給管９には、圧力制御弁３４が設けられ、チャンバー３１内の圧力を所定の圧力に上昇させることが出来るようになっている。
【００２２】
上記実施例では、ヒータ３０とチャンバー３１、圧力制御弁３４及び逆止弁３３とを一体化した構造としている。このように構成すると、コンパクトなスチーム発生器が可能となる。
【００２３】
スチームや温水は、一般には、高温の方が洗浄効果は高いが、対象となるコイルフイン及びその内部にある冷媒管は、１００℃以下の所定の温度範囲に保つ必要がある。コイルフインと冷媒管は、その材質及び製法により差があるが、９０℃以下好ましくは８０℃以下に保つようにするのが良い。
【００２４】
そこで、洗浄効果と上記使用温度範囲を両立させるために、センサーと温度調節機構によって、蒸気の温度は７０〜９０℃好ましくは７５〜８５℃に、温水の温度は、４０〜７０℃好ましくは５０〜６５℃に、ノズル出口での温度が設定制御できるようになっている。
【００２５】
このように温度制御することによって、スチームと温水の高い洗浄効果を生かしながら、コイルフイン及び周囲にダメージを与える恐れを回避している。
【００２６】
上記実施例では、蒸気の温度を制御するため、蒸気の温度を蒸気供給管９に固定したセンサー３５で測定し、温度制御装置３６で加熱する温度を制御するようになっている。
【００２７】
センサー３５で測定した温度情報Ｂに基づき、電源Ａを制御し、ヒータ３０の加熱を制御することによって、加熱する温度を制御し、ノズル１２に送る蒸気の温度を制御している。
【００２８】
温度を調節する方法としては、高圧スチーム発生器で生成したスチームをノズルに導く通路を、外気で冷却するかまたは直接外気を導入することによって、所望の温度としても良い。外気の取り入れ量をノズル近傍で測定した温度に応じて加減することで、ノズルから噴出する蒸気の温度を一定の温度に保つことが出来る。
【００２９】
上記実施例においては、温水タンク２３からの温水も上記チャンバー３１を通過するようになっている。尚、これは必ずしもこのようでなくとも良いが、このようにすると温水タンク２３からの温水をスチーム化することができるので好都合である。尚、コンプレッサー１８からのエアーは、特に加熱しなくとも良いので、チャンバー３１は通らずに、バイパス（図示省略）によって蒸気供給管９に連通してノズル１２から噴出するようになっている。
【００３０】
上記図１及び図２に示す実施例においては、図１に示すエアー／温水供給ホース１９と図３に示すパイプ２８，２８′とが同一であるように構成されている。これは必ずしもこのようでなくとも良いが、このようにすれば、装置がコンパクト化されることから好ましい。
【００３１】
図４は、本発明の他の実施例を示すものであり、横長エアコンの場合の実施例を示すものである。
【００３２】
天井のエアコン１開口両側部に断面Ｈ型のレール３７を固定し、該レール３７を掴持したスライド部材３８にヘッド７を針金３９で連結し、スライド部材３８に連結した滑車４０がレール３７の凹部を移動することによって、ヘッド部７をエアコン１の長さ方向に移動して洗浄できるようになっている。
【００３３】
尚、図中４１は、電力・制御ケーブルであり、ノズル１２の回転駆動用及びスチーム発生用等の電源線である。
【００３４】
図２において、カプラー１４を回転させることによって、パイプ１３を取り外し、図５に示すノズルを装着し、耐熱用ホース４４に連結した取っ手４２を持って、ノズル４３を目的とするところに向けて洗浄することが出来る。この際、図６に示すように、ヘッド７を台車上に載せておくと良い。
【００３５】
次に、上記のように構成された装置を使用する本発明の洗浄方法を説明する。
【００３６】
まず、図１に示す装置を、天井のエアコン１の真下に設置する。
【００３７】
それから、エアー／温水切り替え装置２０を温水通路と連通するようにし、温水タンク２３から温水ポンプ２２で温水を汲み上げて、ホース１９を通して温水を蒸気発生器８に導入する。
【００３８】
蒸気発生器８で生成したスチームは、ノズル１２出口温度が８０℃前後になるような圧力に調整され、回転するノズル１２から噴出される。このように多数のノズルを形成したパイプを回転させることによって、一度に或る程度大きな面積を洗浄できるので、作業を短時間で行うことが出来る。
【００３９】
それから予め設定した所定時間後に、蒸気の発生を停止させ、６０℃前後に設定した温水を、蒸気発生器８を通って回転するノズル１２から噴出させる。温水供給量は、スチームの数十倍から数百倍になる。
【００４０】
洗浄排水は、排水ホース３を通って台車４上の排水フイルター５に入り、粗ごみを除去して排水タンク６に貯留される。
【００４１】
予め設定した所定時間後、温水の供給が停止し、供給ホース内の温水は、洗浄部側で大気開放となり、給水ポンプ側で復水路側に弁が切り替えられて、給水タンク２３に戻る。
【００４２】
本発明のように、スチームで洗浄することによって、少量の水で全体をカバーでき、汚水が浮き上がってくるため、温水を噴射すると簡単にはがれるから、余り高い圧力は必要としない。また、洗浄液が従来法の数分の１で済むので、洗浄後の排水も少なくなる。
【００４３】
供給ホースから温水が抜けると、エアー／温水切り替え装置２０によって、コンプレッサー１８からのエアー通路とホース１９の通路とが連通し、ドレイン（水抜き）を通して乾燥させた乾燥エアー（高圧エアー）がコンプレッサー１８から供給され、洗浄部に至り、ノズル１２から常温で５〜７気圧の高圧エアーが噴出する。このように洗浄後乾燥空気を吹き付けることによって、速やかに乾燥するから、最終仕上がり迄の時間が著しく短縮できる。
【００４４】
乾燥エアーの温度は、８０℃前後迄なら加熱しても良いが、常温で充分であり、装置のコンパクト化の点から常温の方が好ましい。圧力は、好ましくは５〜１０気圧程度とするのが良い。
【００４５】
上記は、温水とエアーのホース１９をチャンバー３１の手前まで共用とした場合であるが、別々のホースとした場合は、水が完全に抜ける前にエアーを噴出することが出来る。
【００４６】
制御盤４６は、上記の動作をスタートスイッチが押されてから、洗浄を終え乾燥工程を終了し、本発明の装置をエアコンから取り外す直前迄の動作を自動的に行うように制御するようになっている。
【００４７】
本発明の方法を使用すれば、少量のスチーム及び温水を使用するだけで済むので、環境に悪影響を及ぼさない。
【００４８】
本発明の方法を使用すれば、使用水量が少なくて済むので、装置全体のコンパクト化が可能となるから、精密工場、研究所、事務所等でも、装置、備品の移動などが不要であるから、ユーザー業務への影響を最小限にして洗浄作業を行うことが出来る。
【００４９】
また、蒸気を使用することと、乾燥をエアーで行うことによって、作業時間を従来法に比べて著しく短縮することが出来る。
【００５０】
【発明の効果】
以上述べた如く、本発明によれば、洗浄剤を不要とし、しかも短時間で容易に洗浄することが出来ると共に、従来適用が困難であった精密工場、研究所、事務所等にも容易に適用することが出来るという、この種従来のエアコン洗浄方法には全く見られない絶大な効果を奏する。
【００５１】
【図面の簡単な説明】
【図１】本発明に使用する装置を示す斜視図である。
【図２】本発明に使用する装置のノズル部を示す斜視図である。
【図３】本発明に使用する蒸気発生器を示す概略図である。
【図４】本発明に使用する装置の他の例を示す斜視図である。
【図５】本発明に使用する装置からノズルを取り外して装着する他のノズルの斜視図である。
【図６】本発明に使用する装置に他のノズルを装着した状態の斜視図である。
【図１】
0003673843.tif 000002
【図２】
0003673843.tif 000003
【図３】
0003673843.tif 000004
【図４】
0003673843.tif 000005
【図５】
0003673843.tif 000006
【図６】
0003673843.tif 000007